Podtech/llm-jp-corpus-v4-ja_patent huggingface dataset:
(57)【要約】      （修正有）【課題】装飾的価値を向上するハーバリウムを提供する。【解決手段】瓶１１の内部に植物１２およびオイル１３を封入してなり、瓶１１として香水用空瓶を用いる。この構成では、透明度が高い高品質の香水用空瓶を瓶１１として用いるため、瓶１１の内部の植物１２を明瞭に視認することができる。観賞用の置物としての価値を高めることができて、また、使用済みの香水用空瓶を用いるため、ハーバリウム１の原材料費を抑えることができる。【選択図】図１
0003230269.tif 000002
【実用新案登録請求の範囲】
【請求項１】
瓶の内部に植物およびオイルを封入してなるハーバリウムであって、香水用空瓶を前記瓶として用いることを特徴とするハーバリウム。
【請求項２】
胴部における少なくとも一部が平面に形成された前記香水空瓶を用いることを特徴とする請求項１記載のハーバリウム。
【請求項３】
プリザーブドフラワーを前記植物として用いることを特徴とする請求項１または２記載のハーバリウム。
【考案の詳細な説明】
【技術分野】
【０００１】  本考案は瓶の内部に植物およびオイルを封入してなるハーバリウムに関する。
【背景技術】
【０００２】  一般的なハーバリウムは、乾燥させた植物を流動パラフィンオイルに浸透させ、専用に製造した円柱状のガラスまた樹脂を原料とした透明瓶に封じ観賞用に資するものであり、例えば下記特許文献１に開示されたハーバリウムが知られている。
【先行技術文献】
【特許文献】
【０００３】
【特許文献１】特開２０２０−１１０９３９号公報
【考案の概要】
【考案が解決しようとする課題】
【０００４】  従来の製造方法で使用される専用に製造された円柱状のガラス瓶は、比較的安価であるが、ガラスの透明度が低く、オイルなどの液体を入れた場合、レンズの様に光が屈折することからガラス瓶正面の植物は拡大され、またガラス瓶側面では挿入した植物が極端に歪んだ姿に見え植物本来の形状を失ってしまい、装飾的価値が低下するという課題がある。【０００５】  本考案は、かかる課題を解決すべくなされたものであり、装飾的価値を向上し得るハーバリウムを提供することを目的とする。
【課題を解決するための手段】
【０００６】  上記課題を解決すべく、請求項１記載のハーバリウムは、瓶の内部に植物およびオイルを封入してなるハーバリウムであって、香水用空瓶を前記瓶として用いることを特徴とするハーバリウム。【０００７】  また、請求項２記載のハーバリウムは、胴部における少なくとも一部が平面に形成された前記香水空瓶を用いることを特徴とする請求項１記載のハーバリウム。【０００８】  また、請求項３記載のハーバリウムは、プリザーブドフラワーを前記植物として用いることを特徴とする請求項１または２記載のハーバリウム。
【考案の効果】
【０００９】  本考案にかかるハーバリウムによれば、透明度が高い高品質の香水用空瓶を瓶として用いるため、瓶の内部の植物を明瞭に視認することができるため、観賞用の置物としての価値を高めることができる。また、使用済みの香水用空瓶を用いるため、ハーバリウムの原材料費を抑えることができる。【００１０】  また、本考案にかかるハーバリウムによれば、瓶の胴部における少なくとも一部（正面および背面）が平面に形成されているため、円柱状のガラス瓶を用いる構成とは異なり、瓶の平面部分における光の屈折を防止することができる結果、この平面部分から内部をクリアに視認することができる。【００１１】  また、本考案にかかるハーバリウムによれば、プリザーブドフラワーを植物として用いているため、生の植物や乾燥植物（一般的なドライフラワー）を用いる構成とは異なり、オイルへの色素の溶出による植物の色彩の低下を防止することができる
【図面の簡単な説明】
【００１２】
【図１】ハーバリウム１の正面図である。
【考案を実施するための形態】
【００１３】  以下、本考案に係るハーバリウムの実施の形態について、図面を参照して説明する。
【００１４】  本考案に係るハーバリウムの一実施例としてのハーバリウム１を図１に示す。図１に示すように、ハーバリウム１は、観賞用の置物であって、瓶１１の内部に植物１２およびオイル１３が封入されて構成されている。
【００１５】  瓶１１は、香水用空瓶であって、本体部２１および蓋２２を備えている。また、本体部２１の胴部３１における少なくとも一部（本例では、正面および背面）が平面に形成されている。
【００１６】  また、このハーバリウム１では、植物１２として、プリザーブドフラワーが用いられている。
【００１７】  このハーバリウム１では透明度が高い高品質の香水用空瓶を瓶１１として用いるため、瓶１１の内部の植物１２を明瞭に視認することができるため、観賞用の置物としての価値を高めることができる。また、使用済みの香水用空瓶を用いるため、ハーバリウム１の原材料費を抑えることができる。
【００１８】  また、このハーバリウム１では、瓶１１の胴部３１における少なくとも一部（正面および背面）が平面に形成されているため、円柱状のガラス瓶を用いる構成とは異なり、瓶１１の平面部分における光の屈折を防止することができる結果、この平面部分から内部をクリアに視認することができる。
【００１９】  また、このハーバリウム１では、プリザーブドフラワーを植物１２として用いているため、生の植物や乾燥植物（一般的なドライフラワー）を用いる構成とは異なり、オイル１３への色素の溶出による植物の色彩の低下を防止することができる。
【符号の説明】）【００２０】  １  ハーバリウム
１１  瓶
１２  植物
１３  オイル
２１  本体部
２２  蓋
３１  胴部
【図１】
0003230269.tif 000003
(57)【要約】      （修正有）【課題】交換可能な脱着型の爪を取り付けることが出来る、油圧ショベルの先端に取り付ける爪先端脱着型フォークを提供する。【解決手段】交換可能な爪３とボス２からなるフォークであって、交換可能な爪３とボス２は、互いを連結する為の取り外し可能なピン挿入用の穴が設けられ、穴に挿入されたピン４によって固定される。【選択図】図２
0003230299.tif 000002
【実用新案登録請求の範囲】
【請求項１】
交換可能な脱着型の爪を取り付けることが出来る、油圧ショベルの先端に取り付ける爪先端脱着型フォーク。
【考案の詳細な説明】
【技術分野】
【０００１】  本考案は、油圧ショベルの先端に取り付けるフォーク（アタッチメント）に関する。
【背景技術】
【０００２】  解体後の家屋の廃材やスクラップ部品を掴むため、フォークと呼ばれるアタッチメントを備えた油圧ショベルが知られている。
【先行技術分献】
【特許文献】
【０００３】
【特許文献１】特開２００２−５４１７０号公報
【考案の概要】
【考案が解決しようとする課題】
【０００４】  フォークの先端が摩耗した場合、溶接にて肉盛をしなければならなかった。これは費用が高額となり、また作業現場での交換ができず移動のために時間もかかっていた。
【課題を解決するための手段】
【０００５】  本考案は、係る課題を解決するためになされたものであって、交換可能な脱着型の爪を取り付けることが出来る、油圧ショベルの先端に取り付ける爪先端脱着型フォークを提供する。
【考案の効果】
【０００６】  本考案に係るフォークは、だれでもが簡単に爪を交換でき高額な費用も削減することができ、作業効率を大幅に改善することができる。
【図面の簡単な説明】
【０００７】
【図１】本考案に係るフォークの全体の正面図である。
【図２】本考案に係るフォークの爪の部分の拡大図である。
【考案を実施するための形態】
【０００８】  以下、添付図に従って説明する。
図１は、本考案に係るフォーク１の全体の正面図である。
【０００９】  図２は、本考案に係るフォークの爪の部分の拡大図である。図２において、２はフォーク１の先端に爪を取り付けるためのボスであり、フォーク先端に予め溶接されている。３は交換可能な爪であり、ボス２に差し込み、ピン４を爪３とボス２に設けた孔（図示せず）に挿入することによりに固定することができる。
【００１０】  本発明において爪３が摩耗した場合は、ピン４を抜き取ることで爪３をボス２から簡単に取り外すことができ、容易に交換することができる。
【符号の説明】
【００１１】  １  フォーク
２  ボス
３  爪
４  ピン
【図１】
0003230299.tif 000003
【図２】
0003230299.tif 000004
【手続補正書】
【提出日】令和2年7月25日(2020.7.25)
【手続補正１】
【補正対象書類名】実用新案登録請求の範囲
【補正対象項目名】全文
【補正方法】変更
【補正の内容】
【実用新案登録請求の範囲】
【請求項１】
通称（グラップル）ともいいます。
フォークは家屋の解体作業くわえて（挟んで）移動作業，巽別作業など活躍します。しかし爪の摩耗もはげしく、爪先端の交換作業も、有する為、「すぐれた能力を―、する」
【手続補正書】
【提出日】令和2年10月8日(2020.10.8)
【手続補正１】
【補正対象書類名】実用新案登録請求の範囲
【補正対象項目名】全文
【補正方法】変更
【補正の内容】
【実用新案登録請求の範囲】
【請求項１】
交換可能な爪とボスからなるフォークであって、前期交換可能な爪とボスは、互いを連結する為の取り外し可能なピン挿入用の穴が設けられ前期交換可能な爪とボスは前期穴に挿入された取り外し可能なピンによって固定された、爪先端脱着型フォーク。
(57)【要約】      （修正有）【課題】床スラブを構成する上筋と下筋との間に安定して配置することができ、均一な床スラブ厚を実現することが可能であるとともに、製造する手間や費用を軽減することが可能な上下筋スペーサを提供する。【解決手段】上筋を支持する上筋支持部２と、下筋に載置する脚部３と、備え、脚部は、上筋支持部の両端から垂直下方に向かって折曲形成された縦棒部５と、縦棒部の下端から互いに異なる方向に折曲形成された横棒部４と、を有し、横棒部は、２本の下筋に対して架け渡しうる程度の長さを有する。【選択図】図１
0003230295.tif 000002
【実用新案登録請求の範囲】
【請求項１】
上下筋スペーサは、上筋を支持する上筋支持部と、下筋に載置する脚部と、を備えてなり、
前記脚部は、前記上筋支持部の両端から下方に向かって折曲形成された縦棒部と、前記縦棒部の下端から水平方向に折曲形成された横棒部と、を有し、
前記横棒部は、２本の下筋に対して架け渡しうる程度の長さを有することを特徴する上下筋スペーサ。
【請求項２】
上筋支持部は、横棒部の長さの半分程度の幅にすることを特徴とする請求項１記載の上下筋スペーサ。
【請求項３】
一方の横棒部は、他方の横棒部に対して反対方向に折曲形成されたことを特徴とする請求項１又は２のいずれか一項に記載の上下筋スペーサ。
【考案の詳細な説明】
【技術分野】
【０００１】
本考案は、床スラブを構成する鉄筋間の間隔を保持するスペーサに関する。
【背景技術】
【０００２】
従来、鉄筋コンクリート造の建造物の床スラブの施工において、作業面に対して水平方向に所定の間隔で上筋及び下筋の配筋作業を行う。このとき、上筋及び下筋と作業面との間隔を一定にして配筋する、種々のスペーサが使用されている。
【０００３】
例えば、特許文献１の従来例には、下向きコ字状で両端に接地脚部を有する受け台によって上筋と作業面との間隔を一定にするとともに、鉄筋受けブロックによって下筋と作業面との間隔を一定にするものが開示されている。
【０００４】
また、特許文献２には、作業面と下筋との間隔を高強度モルタル部及び鋼線加工部によって支持するとともに、下筋と上筋との間隔を鉄筋銜部及び鋼線加工部を備えた上下筋スペーサが開示されている。
【先行技術文献】
【特許文献】
【０００５】
【特許文献１】実開平４−１１１８１４号公報
【特許文献２】特開２０１１−１２５３０号公報
【考案の概要】
【考案が解決しようとする課題】
【０００６】
しかしながら、上述した受け台によって、上筋及び下筋と作業面との距離を一定に配筋することが可能であるが、上筋と下筋との間に安定して配置することができず、上筋と下筋との間隔を一定にすることが難しいものである。また、上下筋スペーサの鋼線加工部に鉄筋銜部などの構造を設けることで上筋と下筋との間に配置することができるが、製造の手間や費用が掛かるものであった。
【０００７】
したがって、床スラブを構成する上筋と下筋との間に安定して配置することができ、均一な床スラブ厚を実現することが可能であるとともに、製造する手間や費用を軽減することが可能な上下筋スペーサが望まれている。
【課題を解決するための手段】
【０００８】
本考案は、上記課題に鑑み、上筋を受ける上筋支持部と、下筋に載置する脚部と、備えてなり、
前記脚部は、前記上筋支持部の両端から下方に向かって折曲形成された縦棒部と、前記縦棒部の端から折曲形成された横棒部と、を有し、
前記横棒部は、２本の下筋に対して架け渡しうる程度の長さを有することを特徴とする。
【０００９】
また、上述した構成に加え、上筋支持部は、横棒部の長さの半分程度の幅にすることが好ましい。
【００１０】
また、上述した構成に加え、一方の横棒部は、他方の横棒部に対して反対方向に折曲形成されていることが好ましい。
【考案の効果】
【００１１】
本考案によって、１本の上筋を支持する上筋支持部に対して少なくとも３本以上の下筋に載置させる横棒部を設けることで、上下筋間に安定して配置して一定の間隔を確保することができ、均一な床スラブ厚を実現することが可能であるとともに、一本の鋼線を折曲形成することで製造することができるため手間や費用を軽減することが可能である。
【図面の簡単な説明】
【００１２】
【図１】本考案の実施形態に係る上下筋スペーサの一例を示す斜視図である。
【図２】図１の（ａ）正面図、及び、（ｂ）側面図である。
【図３】図１の上下筋スペーサを上筋と下筋との間に設置して一定の間隔を保持した状態を示す平面方向から見た概念図である。
【図４】図３の正面方向から見た概念図である。
【考案を実施するための形態】
【００１３】
本実施形態の上下筋スペーサ１の一例について図１−４に基づいて詳細に説明する。なお、本実施形態における床スラブは、作業面８と下筋７との間隔を立方体形状のブロック９によって一定の間隔を保持するものであり、上下筋スペーサ１を前後左右方向に少なくとも約９０ｃｍ程度の間隔で複数配置するものである。
【００１４】
上下筋スペーサ１は、一本の細長い鋼線を折曲形成したものであり、上筋６を支持する上筋支持部２と、下筋７に載置する脚部３、３と、を備えてなるものである。
【００１５】
上筋支持部２は、少なくとも一本の上筋６の下面に対して当接しうる程度の幅ｗを有するものであり、上筋６の長手方向に対してやや交差するように支持するものである。
【００１６】
脚部３、３は、上筋支持部２の両端から垂直下方に向かって折曲形成された縦棒部５、５と、縦棒部５、５の下端から水平方向に折曲形成した横棒部４、４と、を有する。
【００１７】
縦棒部５、５は、上筋６と下筋７との一定の間隔を保持するために、上筋６と下筋７の間隔と少なくとも同程度の垂直方向の高さｈを有する。
【００１８】
横棒部４、４は、縦棒部５、５の下端から一方を前方に折曲形成した場合、他方の縦棒部５、５の下端から１８０度の反対方向である後方に折曲形成したものであり、平行に配筋された２本の下筋７に対して架け渡しうる程度の長さLを有する。
【００１９】
上下筋スペーサ１は、床スラブ厚に比例して増加する荷重に対して破損しない程度の耐久性を備えたものであればよく、少なくとも直径６ｍｍ以上の鋼線を使用して折曲形成する場合、横棒部４、４の長さＬを１５ｃｍ、縦棒部５、５の高さｈを３ｃｍ、上筋支持部２の幅ｗを８ｃｍ程度とするものであり、上筋支持部２の幅ｗに比べて横棒部４、４の長さＬに比べて半分程度に長さにすることが好適である。
【００２０】
上述した上下筋スペーサ１によって、１本の上筋６を支持する上筋支持部２に対して少なくとも３本の下筋７の４箇所に載置させる横棒部４、４を設けることで、安定して上筋６と下筋７との間に配置して一定の間隔を確保ことができ、均一な床スラブ厚を実現することが可能であるとともに、一本の鋼線を折曲形成することで製造することができるため手間や費用を軽減することが可能である。
【符号の説明】
【００２１】
１  上下筋スペーサ
２  上筋支持部
３  脚部、４  横棒部、  ５  縦棒部、
６  上筋、７  下筋、８  作業面、９  ブロック、
ｗ  幅、Ｌ  長さ、ｈ  高さ。
【図１】
0003230295.tif 000003
【図２】
0003230295.tif 000004
【図３】
0003230295.tif 000005
【図４】
0003230295.tif 000006
(57)【要約】      （修正有）【課題】ウイルス菌を死滅・除菌する新型マスクを提供する。【解決手段】不織布製のマスク２において、顔に当接する内側のほぼ全面に、上方に開口したポケット３を設け、そこに出し入れ式に装着される薄い銅メッシュ板１を設けてある。【選択図】図１
0003230247.tif 000002
【実用新案登録請求の範囲】
【請求項１】
現在売られているマスクは、▲１▼花粉症予防、▲２▼風邪予防、▲３▼飛沫防止には効果がありますが、ウイルスには効果がありません。
そこで、金属の銅には、銅イオンが発生して殺菌・除菌効果があることに着目。不織布マスクにポケットを作り、ポケットの中に軽くて薄い銅メッシュ板を入れて、マスク上部のチャックを閉めて使用するものであります。
このマスクの使用により、コロナウイルスを吸っても銅イオンの作用でウイルスを死滅・除菌され、ウイルスから身を守ってくれる、これまでになかったウイルス専用の新型マスクの登場です。
【考案の詳細な説明】
【技術分野】
【０００１】  本考案は、銅イオンの殺菌・除菌力に着目した、ウイルスを死滅させるマスクに関するものである。
【背景技術】
【０００２】  従来売られているマスクは、▲１▼花粉症予防、▲２▼風邪予防、▲３▼飛沫防止には効果があるが、ウイルスを殺菌・除菌するものではなかった。
【先行技術文献】
【特許文献】
【０００３】
【特許文献１】
【考案の概要】
【考案が解決しようとする課題】
【０００４】  ウイルスという目に見えないものゆえに、手立てがよく分からないままの状態で、いつ自分も感染してしまうのではないかと心配しながら日々の生活を送っている。
本考案は、このような不安をなくすために考えたものである。
【課題を解決するための手段】
【０００５】  金属の銅には殺菌・除菌力があることから、軽くて薄い銅メッシュ板を作り、マスクポケット部分にこの銅メッシュ板を入れて（金属につきガーゼ袋に入れて）使用する。
本考案は以上の構造よりなるマスクである。
【考案の効果】
【０００６】  このウイルス専用マスクを使用して外出することで、仮にコロナウイルス菌を吸入しても、銅メッシュ板の銅イオンの作用によりウイルスを死滅に追い込み、ウイルスから身を守ることができる。
【図面の簡単な説明】
【０００７】
【図１】軽くて薄い銅メッシュ板（金属ゆえにガーゼ袋に入れて使用）
【図２】前面は不織布、マスク熱を少なくするため格子柄。後面は不織布マスク。
【考案を実施するための形態】
【０００８】  不織布マスク前面は熱がこもらないよう格子柄とし、後面は不織布マスクとしてポケットを作る。本考案は以上の構造である。
これを使用するときは、マスクポケット部分に銅メッシュ板を入れて、ポケット上部のチャックを閉めて使用する。
マスクと銅メッシュ板は熱湯消毒して繰り返し使用する。
【符号の説明】
【０００９】  １
２
３
0003230247.tif 000003
【手続補正書】
【提出日】令和2年9月26日(2020.9.26)
【手続補正１】
【補正対象書類名】実用新案登録請求の範囲
【補正対象項目名】全文
【補正方法】変更
【補正の内容】
【実用新案登録請求の範囲】
【請求項１】
不織布製のマスクにおいて、顔に当接する内側のほぼ全面に、上方に開口したポケットを設け、そこに出し入れ式に装着される薄い銅メッシュ板を設けてあることを特徴とするウィルスを死滅させる新型マスク。
【手続補正２】
【補正対象書類名】明細書
【補正対象項目名】０００５
【補正方法】変更
【補正の内容】
【０００５】  不織布製のマスク本体において、顔に当接する内側のほぼ全面に、上方に開口したガーゼ地ポケットを設け、そこに出し入れ式に装着される薄い銅メッシュ板を設けてある。
以上を特徴とするウイルスを死滅させる新型マスクである。
【手続補正３】
【補正対象書類名】明細書
【補正対象項目名】０００７
【補正方法】変更
【補正の内容】
【０００７】
【図１】（ａ）本考案の一部である銅メッシュ板の斜視図  （ｂ）本考案の一部であるマスク本体の斜視図
【手続補正４】
【補正対象書類名】明細書
【補正対象項目名】０００８
【補正方法】変更
【補正の内容】
【０００８】  マスク本体（２）は熱がこもらないように格子柄とし、顔当接面側にガーゼ生地でガーゼ地ポケット（３）が設けてある。使用時には、ポケットは上方に開口しており、そこから軽くて薄い銅メッシュ板（１）を出し入れする。
マスク本体（２）と銅メッシュ板（１）は、共に熱湯消毒して繰り返し使用することが出来る。
【手続補正５】
【補正対象書類名】明細書
【補正対象項目名】０００９
【補正方法】変更
【補正の内容】
【０００９】１  銅メッシュ板
２  マスク本体
３  ガーゼ地ポケット
【手続補正５】
【補正対象書類名】図面
【補正対象項目名】全図
【補正方法】変更
【補正の内容】
【図１】
0003230247.tif 000004
(57)【要約】      （修正有）【課題】バッグの中身を増やすことなくショッピングバッグを携帯できるショッピングバッグ収納式タッセルバッグチャームを提供する。【解決手段】タッセルの芯の部分を空洞にし、空洞をファスナー７で開閉できるようにしてショッピングバッグを畳んで収納する。タッセル本体についている紐やリボン、金具などによってバッグチャームとして使用できる。色や飾りのリボン等のアレンジも楽しむことが出来る。又、収納部６は他の物を入れて使うことも可能である。【選択図】図２
0003230256.tif 000002
【実用新案登録請求の範囲】
【請求項１】
タッセル本体（芯部分）に、開閉機構を有し開閉することのできる収納部分を設け、そこへショッピングバッグを収納し、タッセル」本体についている吊り紐部材でバッグに吊り下げバッグチャームとして携帯することができる ショッピングバッグ収納式タッセルバッグチャーム。
【請求項２】
タッセル本体の形は縦長、球体、いずれの形にもアレンジすることができる請求項１に記載のショッピングバッグ収納式タッセルバッグチャーム。
【考案の詳細な説明】
【技術分野】
【０００１】
本考案は、ショッピングバッグ収納式タッセルバッグチャームに関するものである。
【背景技術】
【０００２】
2020年より様々な店から商品を購入した際にその商品を入れるための袋が有料化され  、エコの点からも各自がショッピングバッグを持つことが推奨された。それは何個もシ  ョッピングバッグを携帯しなければならない状況を生んだ。
また、近年は歴史あるカーテンタッセルだけでなく、バッグチャームやアクセサリー  にタッセルを使うことが増えた。
【考案の概要】
【考案が解決しようとする課題】
【０００３】
バッグの中身を増やすことなく見た目にスマートにショッピングバッグを携帯できる。
【課題を解決するための手段】
【０００４】
本考案は、抵抗なくタッセルをバッグチャームとして使われていることに注目し、本  来バッグチャームとしてだけ使用できるタッセルの中心に空間を設けショッピングバッ  グを収納できるようにすることにより上記のショッピングバッグをスマートに携帯でき  るという課題を解決するためのものである。
【考案の効果】
【０００５】
バッグチャームにしてショッピングバッグをバッグの外に出して携帯することがで    きるので、バッグの中身を抑えることができ、また見た目は完全なタッセルなのでバ    ッグチャームとしてバッグの飾りにできる。
【０００６】
ショッピングバッグが必要となった時には背面にあるファスナーを開けてショッピン    グバッグを取り出し、タッセルはそのままバッグにつるして飾っておくことが出来る    。
【０００７】
常にバッグに取り付けられる形態は、バッグの中で物にまぎれたショッピングバッグを探すという行為なくショッピングバッグを使える利点もある。
【図面の簡単な説明】
【０００８】
【図１】（ａ）タッセルを正面から見た状態を示す正面図である、（ｂ）収納部開閉のファスナーが見える背面図である。
【図２】（ａ）収納部のファスナー部分を分かりやすくフリンジを取り除いて示した背面図（閉じている時）である。（ｂ）収納部のファスナーが開いている時の背面図である。
【図３】バッグに付けた際のイメージ図である。
【図４】ショッピングバッグ収納部分が球体となるファータッセルにデザインした時の図である。
【考案を実施するための形態】
【０００９】
本考案はバッグチャームとして使用するタッセルの中心に円柱型の収納部（底辺直径5〜6cm高さ10〜11cm）を設けてショッピングバッグを収納できるようにすることによりショ
ッピングバッグ収納時もショッピングバッグ使用時もバッグにつけて携帯できるものである。
【００１０】
図１に示すように、本考案のショッピングバッグ収納式タッセルバッグチャームは、    カラビナ1  、吊るし紐２、モールド３、飾り４、飾り５、ショッピングバッグ収納    部分６、ファスナー７から構成される。
カラビナ１は、タッセルをつるす際に使う金属製やプラスチック製等のパーツである    。吊るし紐２は、ロープ、コード、紐、リボン等を用いることができる。モールド３    は、タッセルの製作で通常用いられている木やプラスチック等のものを用いる。
【００１１】
モールド３を紐やリボン等で装飾したものに吊るし紐２を通してタッセルに吊るす機    能を加え、更に、カラビナ１で、バッグ等に取り外し自由にする。モールド３にショ    ッピングバッグ収納部６を取り付ける。モールド３とショッピングバッグ収納部６と    を接続する接続部には、トリムやブレード、リボンなどの飾り４をつけて見た目も美    しく強度もつける。
ショッピングバッグ収納部６の形状は、細長い物や球体などであり、素材は形に合っ    たものを使用する。例えば、綿、麻などの生地やフェイクファー等である。ショッピ    ングバッグ収納部６の周囲は、フリンジやリボン等の飾り５で装飾されている。また    、ショッピングバッグ収納部６は、開閉機構の一例であるファスナー７を備える。フ    ァスナー７は、金属製やプラスチック製を使用する。
【００１２】
図2が収納部で開閉機構の一例であるファスナーは生地に合わせたものを使用する。
図３のようにバッグの持ち手にタッセルの吊るし紐２をカラビナ２の開閉により取り付ける。
【００１３】
図4のように、球体のタッセル（ファータッセル）にアレンジすることも可能である。
アレンジでタッセルを球体型にする場合は球体そのものを収納部とする。
上記の実施形態は一例であり、以下のように変形してもよい。
例えば、ファスナーに替えてボタン、面ファスナーなどを用いてもよい。
また、収納部６の大きさも自由に変更可能である。
図示したトリムやブレード、リボンなども適宜変更が可能である。
【符号の説明】
【００１４】
１  カラビナ
2  吊るし紐
3  モールド
4  接続部の飾り
5  収納部の飾り
6  ショッピングバッグ収納部、細
7  ファスナー
【図１】
0003230256.tif 000003
【図２】
0003230256.tif 000004
【図３】
0003230256.tif 000005
【図４】
0003230256.tif 000006
【手続補正書】
【提出日】令和2年11月4日(2020.11.4)
【手続補正１】
【補正対象書類名】実用新案登録請求の範囲
【補正対象項目名】全文
【補正方法】変更
【補正の内容】
【実用新案登録請求の範囲】
【請求項１】
タッセル本体（芯部分）に、開閉機構を有し開閉することのできる収納部分を設け、そこへショッピングバッグを収納し、タッセル本体についている吊り紐部材でバッグに吊り下げバッグチャームとして携帯することができる ショッピングバッグ収納式タッセルバッグチャーム。
【請求項２】
タッセル本体の形は縦長、球体、いずれの形にもアレンジすることができる請求項１に記載のショッピングバッグ収納式タッセルバッグチャーム。
(57)【要約】      （修正有）【課題】伸縮性の素材であればどのような素材も活用でき、子供から大人まで様々なサイズに適用できるマスクの調整キットとマスクを提供する。【解決手段】顔面の鼻及び口を覆うマスクであって、３層のフィルターで構成され、中間層のフィルターにプロポリスを含侵乾燥させたフィルター７を用いたことを特徴とする。中間層の前後の層のフィルターは長方形の伸縮性生地で、その両短辺の中点より短い位置から一方の長辺の中点を結ぶ線に沿って切断されて形成される概五角形状で、その短辺両端に概平行の位置に切込みを設けた。マスクの調整キットは、中間層の前後の層のフィルターを調整するための伸縮性生地と型紙を備える。【選択図】図３
0003230252.tif 000002
【実用新案登録請求の範囲】
【請求項１】
顔面の鼻及び口を覆うマスクであって、３層のフィルターで構成され、中間層のフィルターにプロポリスを含侵乾燥させたフィルターを用いたことを特徴とするマスク。
【請求項２】
請求項１において、中間層の前後の層のフィルターは長方形の伸縮性生地で、その両短辺の中点より短い位置から一方の長辺の中点を結ぶ線に沿って切断されて形成される概五角形状で、その短辺両端に概平行の位置に切込みを設けたことを特徴とするマスク。
【請求項３】
請求項２において、中間層の前後の層のフィルターを調整するための伸縮性生地と型紙を備えることを特徴とするマスク調整キット。
【考案の詳細な説明】
【技術分野】
【０００１】      本考案は保健衛生上、感染予防に供する顔面マスクに関するものである。
【背景技術】
【０００２】      特許文献１に開示されているアロマ抗菌マスクは、基布が重ね合わされ、一辺縁を残して残りの三辺縁が連なって、前記一辺縁を開口とするポケットを形成したマスク面部と、前記マスク面部の左右両側に設けられ左右の耳にそれぞれ係止される耳掛け部を備え、前記ポケットに香気性の天然木材製で、薄板状の柔らかい材料を積層した充填材を挿入したマスクであって、着用者の呼吸により排出された水分が前記充填材を湿らせることにより、香気成分が揮発してそのアロマ抗菌機能が発現することを特徴とするアロマ抗菌マスクであるが、部品点数が多く又製造工程も多段階に及ぶものである。
【先行技術文献】
【特許文献】
【０００３】
【特許文献１】登録実用新案公報  実用新案登録第３２２６７８６号
【考案の概要】
【考案が解決しようとする課題】
【０００４】      本考案の課題は、伸縮性の素材であればどのような素材も活用でき、子供から大人まで様々なサイズに適用できるマスクの調整キットとマスクを提供するとともに、シンプルな製造工程で製造できる抗菌フィルターを提供することである。
【課題を解決するための手段】
【０００５】顔面の鼻及び口を覆うマスクであって、３層のフィルターで構成され、中間層のフィルターにプロポリスを含侵乾燥させたフィルターを用いたことを特徴とするマスク。
中間層の前後の層のフィルターは長方形の伸縮性生地で、その両短辺の中点より短い位置から一方の長辺の中点を結ぶ線に沿って切断されて形成される概五角形状で、その短辺両端に概平行の位置に切込みを設けたことを特徴とするマスク。
中間層の前後の層のフィルターを調整するための伸縮性生地と型紙を備えることを特徴とするマスク調整キット。
【考案の効果】
【０００６】      生地にプロポリスを含侵乾燥工程だけで抗菌作用あるフィルターと、いつでも、どこでも大中小サイズ選択自由自在の切込み加工だけで製造、調整できる、マスク及びマスク調整キットを提供できる。
【図面の簡単な説明】
【０００７】
【図１】本考案の前後層のフィルター図
【図２】本考案の前後層のフィルター調製用キットに具備される型紙の形状図
【図３】本考案のマスク使用後の状態図
【図４】本考案の中間層のフィルター図
【考案を実施するための形態】
【０００８】顔面を覆うことができるサイズを有する伸縮性の生地と概ね同じサイズの型紙を用意する。型紙上には図２に示すような切り取りガイドを示す線が予め描かれている。
マスク生地（中間層の前側及び後側フィルター）の上に型紙を重ね、型紙と生地がずれないようにステプラー等で留める。調整しようとするマスクのサイズを選択して、耳掛け部のスリットとマスクの形状ラインに従ってハサミ、カッターナイフ等で生地を切断する。
切断したマスク生地の間に中間層フィルター（プロポリス含侵フィルター）を挟む。
【産業上の利用可能性】
【０００９】感染防止用のマスクとその調製用キットとして利用できる。
【符号の説明】
【００１０】１．  マスク（中間層フィルターの前側及び後側フィルター）
２．  耳掛けのための切込み
３．  型紙
４．  マスク成形用切込み
５．  耳掛け用切込みライン
６．  使用後マスク
７．  プロポリス含侵中間層フィルター
【図１】
0003230252.tif 000003
【図２】
0003230252.tif 000004
【図３】
0003230252.tif 000005
【図４】
0003230252.tif 000006
(57)【要約】【課題】会話音量の大きさを計測して、飛沫感染の危険度を報知する警報装置を提供する。【解決手段】筐体２と、商用電力を受電して直流電圧に変換し駆動電源を供給する電源ユニット３と、会話音量を計測する音量センサ４と、計測した音量に基づきデータ記憶／通信ユニットで判定された危険度レベルを光と音で報知する報知手段６と、会話音量と危険度レベルの相関テーブルに基づき危険度を判定し、外部のパーソナルコンピュータ等データ処理装置とデータを送受信するデータ記憶／通信ユニット５を備える。【選択図】図１
0003230254.tif 000002
【実用新案登録請求の範囲】
【請求項１】
音量センサと会話音量と危険度レベルを記憶する記憶手段と、危険度レベルに基づく危険度を報知する報知手段と、計測した会話音量データを外部分析手段に送信する通信手段とを備える、飛沫感染防止警報装置。
【請求項２】
報知手段は、危険度レベルの上昇に基づき発光色を変化させる発光手段である請求項１の飛沫感染防止警報装置。
【請求項３】
報知手段は、さらに危険度レベルの上昇に基づき音量が上昇する音響手段を備える請求項１乃至２の飛沫感染防止警報装置。
【請求項４】
報知手段は、さらに飛沫の飛散状況を図形により表示する表示手段を備える請求項１乃至３の飛沫感染防止警報装置。
【考案の詳細な説明】
【技術分野】
【０００１】
本考案は、飛沫感染による感染症を予防するための音量感知による感染危険度の警報装置に関する。
【背景技術】
【０００２】
コロナウイルスによる感染症が蔓延しており、感染症予防方策の徹底が望まれる。その感染予防方策の一つとしては、人との会話における唾による感染を予防する方策として会話における音量の抑制が有効である。
【０００３】
しかし、会話における音量について、具体的な指針がなく、どの程度の音量で会話すれば安全なのか、理解がされていないため個人の判断に依存している現状であり、かならずしも予防方策が徹底していないのが現状である。
【０００４】
また会話音量と感染危険度の相関に関するデータの収集方法がないため、客観的な指針が提示できないという問題がある。
【０００５】
現状では、人と人との距離を２ｍ以上保つ、飲食店では対面での着席を避けるなどの曖昧なルールがあるだけである。
【先行技術文献】
【特許文献】
【０００６】
【特許文献１】特開２００９―０４２１９９号公報
【非特許文献】
【０００７】
【非特許文献１】新型コロナウイルス感染防止を日常生活に取り入れた「新しい生活様式」  厚生労働省ホームページ
【考案の概要】
【考案が解決しようとする課題】
【０００８】
解決しようとする問題点は、会話による飛沫感染防止のための音量抑制のための具体的かつ客観的な方策を提供することである。
【課題を解決するための手段】
【０００９】
本考案は、会話による飛沫感染防止のために会話音量を検知する手段と、音量レベルに基づいて段階的に警報を発する手段により、会話者に危険度を報知し、会話音量の抑制を促す警報装置を提供する。
【考案の効果】
【００１０】
本考案の飛沫感染防止用警報装置は、会話音量の計測に基づく客観的基準による警報を行うことにより、会話音量を抑制する効果がある。またデータの蓄積、分析により科学的なデータに基づく予防指針を策定できる効果がある。
【図面の簡単な説明】
【００１１】
【図１】音量感知式飛沫感染防止用警報装置の外観図である。
【考案を実施するための形態】
【００１２】
飛沫感染防止用警報装置を、会話音量計測手段と、会話音量レベルを光、音により報知する手段により、会話音量を抑制する具体的な手段を提供する。
【実施例１】
【００１３】
図１は、本考案警報装置の実施例の外観図である。飛沫感染防止用警報装置１は筐体２と、電源ユニット３と音量センサ４とデータ記憶／通信ユニット５と警報ユニット６から構成される。筐体２は金属、プラスティック材料により構成される。電源ユニット３は商用電力、バッテリにより装置を駆動するための電源である。音量センサ４はマイクなど音量を計測するセンサである。記憶／通信ユニット５は音量レベルと危険度を対比するテーブル、本装置を駆動するプログラムを記憶するメモリ、ＣＰＵから構成される記憶部、Ｗｉ−Ｆｉ、Ｂｌｕｅｔｏｏｔｈ（登録商標）などの通信手段により、中央処理部に検知した音量データ、会話をしている人の性別、飲食物などのデータを送信する。警報ユニット６は複数色の発光ダイオード、ブザーからなり光、音により危険度を報知する警報手段である。会話音量のレベルに基づく、危険度の段階により、発光色を変化させる、音量を変えるなどの方法により、危険度を段階的に報知しても良い。
【産業上の利用可能性】
【００１４】
本警報装置は、会話音量と会話をする人に関するデータ、性別、年齢、飲食の嗜好、人数、着席配置などのデータを蓄積保存、データの分析により、より客観的データに基づく、感染症の感染予防方策の指針策定に資するとこも可能である。また接触感染アプリ「ココア」（登録商標）と連携することにより、早期の接触感染情報提供も可能である。
【符号の説明】
【００１５】
１    飛沫感染防止用警報装置
２    筐体
３    電源ユニット
４    音量センサ
５    データ記憶／通信ユニット
６    警報ユニット
【図１】
0003230254.tif 000003
(57)【要約】      （修正有）【課題】毛芯が不要で、生産工程を簡素化でき、ラペルロールにボリューム感を持たせた上着を提供する。【解決手段】上着は、襟の返り止まり４を起点に上部下部の身頃２と見返し３の差寸９をつけた型紙を作成し縫合する。襟の返り止まりの位置で縫合線がツィストされることで、張りと反発をつくりボリュームのある柔らかいラペルロールが生まれる。【選択図】図４
0003230498.tif 000002
【実用新案登録請求の範囲】
【請求項１】
襟の返り止まりを起点に、その上部で見返しを身頃より大きくし、下部で見返しを身頃より小さくしたり、またはその逆に上部で見返しを身頃より小さくし、下部で見返しを身頃より大きくするというように、見返しと身頃の大きさを変えて縫合することで、襟の返り止まりの位置で身頃と見返しの縫合線がツィストされ、張りと反発が生まれることで、ラペルロールにボリューム感と保形性を有した上着。
【考案の詳細な説明】
【技術分野】
【０００１】  本考案は、身頃と見返しの縫合を襟の返り止まりの位置でツィストさせることで、ラペルロール（下襟の返り）にボリュームを持たせた襟に関するものである。
【背景技術】
【０００２】  従来、襟は身頃と見返しをほぼ同寸で作られていて、身頃と見返しの端７ｍｍ〜１ｃｍで縫合され、襟の返り線に沿ってアイロンプレスをしても、ラペルロールにボリュームが出ないので、毛芯仕様という身頃と見返しの間に毛芯を入れる方法が取られている。
【考案の概要】
【考案が解決しようとする課題】
【０００３】  しかしながら、毛芯を入れることで、上着が全体が重くなり、更に生産する上で、高技術と煩雑な手間がかかるという問題がある。
【課題を解決するための手段】
【０００４】  本考案は、襟の返り止まりの下部の見返しを身頃より小さくして、上部の襟部分の見返しを逆に大きくして、襟の返り止まり部分で縫合線をツィストさせることで、生まれる反発力を作り、ラペルロールにボリュームを持たせることで課題を解決している。
【考案の効果】
【０００５】  本考案は、毛芯が不要になるために、軽い上着になり、更に毛芯作りや芯据えという毛芯仕様の難工程も不要になるので、簡素化されたにもかかわらず、毛芯仕様のような高級感のあるラペルロールのボリューム作りが可能になる。
【考案を実施するための形態】
【０００６】  図１のようなボリュームのあるラペルロールを作り出すために、身頃と見返しの大きさを変えて、縫合線を襟の返り止まりで裏から表に捻ったように交差せることで反発力が生まれ、ボリュームのあるラペルロールが生まれる。
【実施例】
【０００７】  以下、添付図面に従って実施例を説明する。
従来の上着の下襟の身頃と見返しは、図２のように見返しの折返りのゆとりを少しは容れるが、ほぼ同寸で、それぞれの縫い代７ｍｍ〜１０ｍｍくらいで裏側を縫合し、その縫合線に沿って裏表をひっくり返して、前身端や襟の端が縫合線となる。【０００８】  図３のように、身頃と見返しがほぼ同寸なので、身頃端や襟端に縫合線がみえて、襟の返り線でプレスすると鋭角的に平面的に見える。【０００９】  ツィステッド  ラペルの型紙は、図４のように襟の返り止まりを起点に、上部の差寸は約１ｃｍ〜１．４ｃｍ見返しが幅広く、下部の差寸は身頃がそれぞれ約１ｃｍ〜１．４ｃｍ幅広い型紙になっている。【００１０】  そのために、図５のように、襟の返り止まりより上部は襟端より約５ｍｍ〜７ｍｍ裏奥で縫合し、下部は前端より約５ｍｍ〜７ｍｍ裏奥で縫合し、襟の返り止まりで縫合線がツイストすることで襟の返り止まり部分で強い反発が生まれ、襟の返り線でプレスをしても鋭角には折れないで、まっすぐになろうとする力が生まれ、ボリュームのある柔らかいラペルロールが生まれる。【００１１】  身頃と見返しの差寸の半分が前端から控えて縫合されるが、デザインによってその差寸は、１ｃｍ〜２ｃｍくらいが適当であり、それ以上あると裾のカーブでの内寸外寸差が大きくなりすぎて、縫合の難易度が上がってしまう。【００１２】  このツィステッド  ラペルは、襟の返り止まりを起点に、身頃と見返しの幅の大きさを変え、縫合線をツィストすることで、反発力が起き、図６のように、見返しが身頃より大きくしても、逆に見返しが身頃より小さくしても、同様のボリュームのあるラペルロールが生まれる。
【産業上の利用可能性】
【００１３】  本考案は、従来毛芯仕様という高コスト付属と高技術を要する仕様でしかできなかったラペルロールのボリューム感を容易に出せる事から、毛芯仕様に不向きなニット素材、伸縮性の高いストレッチ素材、綿素材等にも使用することができ、ビジネスウェアだけでなく、カジュアルウェア、スポーツウェアにも利用できる可能性を有している。
【図面の簡単な説明】
【００１４】
【図１】ラペルロールのボリューム有無の比較図である。
【図２】一般的な身頃と見返しの型紙図である。
【図３】一般的な身頃と見返しの縫合図である。
【図４】ツィステッド  ラペルの型紙図である。
【図５】ツィステッド  ラペルの縫合図である。
【図６】２パターンのツィステッド  ラペルジャケット外観図である。
【符号の説明】
【００１５】１  ラペル（下襟）
２  身頃
３  見返し
４  襟の返り止まり
５  ラペルロール（下襟の返り）
６  襟の返り線
７  縫合線
８  縫い代
９  身頃と見返しの差寸
【図１】
0003230498.tif 000003
【図２】
0003230498.tif 000004
【図３】
0003230498.tif 000005
【図４】
0003230498.tif 000006
【図５】
0003230498.tif 000007
【図６】
0003230498.tif 000008
(57)【要約】      （修正有）【課題】鼻で新鮮な空気を体に取り込むことで効果的に運動ができ、自身の咳などによる唾液飛沫を防止し、効果的に鼻で空気を体に取り込む呼吸を確保でき、マスク体内での鼻息による暑さを緩和し、耳裏渕部分のゴムによるスレの痛みを解消できる鼻呼吸式スポーツマスクを提供する。【解決手段】鼻呼吸式スポーツマスクは、スポーツ時・屋外・室内での活動時に、自身の咳などにより唾液など空気中に浮遊を防止するため、鼻を除く口・顎・ほほ・えら、などの部分をマスクで覆い、鼻呼吸により効果的に空気を体に取り込むことで人体への呼吸を確保し、体に吸収した空気を外に鼻から出すことにより、マスク体内の暑さを緩和し、耳ずれの痛み解消として、後頭部全体をゴムバンドで固定する。鼻で新鮮な空気を体に取り込むことで人体の呼吸を確保し、唾液飛沫を防止し、鼻呼吸によりマスク内の暑さを緩和し、マスク着用の際、耳すれにより痛みの解消に役立つ。【選択図】図２
0003230492.tif 000002
【実用新案登録請求の範囲】
【請求項１】
鼻を開放し、口・顎・ほほ・えら、などの部分、鼻以外をマスクで覆う設計を特徴とする。
【請求項２】
スポーツ時の際に［図７］、咳・唾液など飛散予防のため、それぞれの顔型のサイズ設計を特徴とする。
［頭サイズ  Ｓ：６１ｃｍ〜６４・Ｍ：６５ｃｍ〜６６  Ｌ：６７ｃｍ〜６８・ＬＬ：６９ｃｍ〜７０ＸＬ７１ｃｍ〜７３］
【請求項３】
［図８］安定した呼吸確保のため唇と隔離するように曲体型設計を特徴とする。
【請求項４】
耳ずれの痛み解消のため、耳裏渕部分にゴムが触れないよに設計を特徴とする。
［図６］後頭脱着式固定ゴムバンド
【請求項５】
藍染生地使用ため天然抗菌・消臭効果などの効果を特徴とする。
【考案の詳細な説明】
【技術分野】
【０００１】本考案はスポーツ時の際に、鼻で新鮮な空気を体に取り込むことで人体の呼吸確保．唾液飛沫の防止鼻呼吸により、暑さの緩和を重視したものである。
【背景技術】
【０００２】従来のマスクでは、口・鼻などの部分をマスクで覆うことにより、スポーツ時の際、空気を体に取り込みが、困難な為、熱中症・呼吸不全など人体に危険な状態を及ぶ場合がある
【考案の概要】
【考案が解決しようとする課題】
【０００３】スポーツ活動の際、
［課題１］唾液など空気中に浮遊の抑制
［課題２］効果的に鼻で空気を体に取り込む呼吸確保
［課題３］鼻息により、マスク体内の暑さ対策（熱中症予防）
［課題４］長時間、マスク着用の際、耳裏渕部分がゴムすれによりの痛み
などを解決しようとするものである。
【課題を解決するための手段】
【０００４】スポーツ時・屋外・室内での活動時に
［課題１］自身の咳などにより唾液など空気中に浮遊を防止策とし
［図１］口・顎［図２］ほほ・えら、などの部分をマスクで覆う
［課題２］［図１］鼻呼吸により効果的に空気を体に取り込むことで人体への呼吸の確保
［課題３］［図１］体に吸収した空気を外に頬出により、マスク体内の暑さの緩和
［課題４］［図３］耳ずれの痛み、解消として、後頭部全体をゴムバンドで固定
問題点を解決している。
【考案の効果】
【０００５】本考案の鼻呼吸式スポーツマスクは、スポーツ時・屋外・室内での活動時に
唾液飛沫の防止・鼻呼吸確保・熱中症予防・耳ずれの痛みなど、人体を保護する効果がある
【図面の簡単な説明】
【０００６】
【図１】鼻呼吸により効果的に空気を体に取り込むことで人体への呼吸の確保  体に吸収した空気を外に頬出により、マスク体内の暑さの緩和
【図２】口・顎［図２］ほほ・えら、などの部分をマスクで覆う  耳ずれの痛み、解消として、後頭部全体をゴムバンドで固定
【図３】耳ずれの痛み、解消として、後頭部全体をゴムバンドで固定
【図４】耳ずれの痛み、解消として、後頭部全体をゴムバンドで固定
【図５】耳ずれの痛み、解消として、後頭部全体をゴムバンドで固定
【図６】後頭脱着式固定ゴムバンド
【図７】、咳・唾液など飛散予防のため、それぞれの顔型のサイズ製作［頭サイズ  Ｓ：６１ｃｍ〜６４・Ｍ：６５ｃｍ〜６６  Ｌ：６７ｃｍ〜６８・ＬＬ：６９ｃｍ〜７０ＸＬ７１ｃｍ〜７３］
【図８】安定した呼吸確保のため唇と隔離するように曲体型設計
【図１】
0003230492.tif 000003
【図２】
0003230492.tif 000004
【図３】
0003230492.tif 000005
【図４】
0003230492.tif 000006
【図５】
0003230492.tif 000007
【図６】
0003230492.tif 000008
【図７】
0003230492.tif 000009
【図８】
0003230492.tif 000010
【手続補正書】
【提出日】令和2年10月14日(2020.10.14)
【手続補正１】
【補正対象書類名】実用新案登録請求の範囲
【補正対象項目名】全文
【補正方法】変更
【補正の内容】
【実用新案登録請求の範囲】
【請求項１】
鼻を開放し、口・顎・ほほ・えら、などの部分、鼻以外をマスクで覆う設計を特徴とする鼻呼吸式スポーツマスク。
(57)【要約】【課題】  回して遊ぶ機能以上の実用的な機能を持った独楽を提供する。【解決手段】  独楽本体２の上部に、外周面を任意に縮径した段差部分３を構成することで、独楽の回しやすさを維持すると共に、段差部分３の上面を平面にして印面４とし、印面４に任意の印字５を彫刻することで、印章として利用できる機能を付加する。【選択図】図４
0003230497.tif 000002
【実用新案登録請求の範囲】
【請求項１】
地面に接地して回転するための軸と、前記軸の上部に設けた本体とから成り、前記本体は、下に凸の曲面と、前記曲面の上部に外周面の径より任意に縮径し、かつ上面を平面にした段差部分とを有するもので、前記上面に印字を彫刻することによって、印章としての機能を付加した独楽。
【考案の詳細な説明】
【技術分野】
【０００１】  本考案は、独楽の形状を利用して上部に印面を構成し、印面に任意の文字、および模様からなる印字を彫刻することで、所謂遊印とされる印章としても利用することができる独楽に関する物である。
【背景技術】
【０００２】  独楽は、回転の中心となる軸と、回転する本体とを備えており、指、手のひら、紐などを利用して、回転させて遊ぶ玩具である。独楽の形状には様々なものがあり、例えば、回転する力を与えるために用いる道具や、回転を持続させる、回転する際の動きに面白さを与える等、目的の違いによっても独楽の形状には違いがみられる。
【考案の概要】
【考案が解決しようとする課題】
【０００３】  前記の通り、独楽の形状には多種多様なものがある。しかし、その一方で、独楽の上部は回転軸となる芯棒があるか、意匠の一部として彩色されている場合がほとんどであり、所有者が所有者自身で彩色を行える場合はあっても、上部を他の用途として活用できる独楽は皆無に等しい。
【課題を解決するための手段】
【０００４】  本考案は、独楽を地面と水平方向に切断した場合、その切断面が円形になるという形状の利点を活用して、上部を平面とし、前記平面を印面として利用することで、独楽として回して遊ぶことができる機能に加えて、印章としての機能も持った独楽を提供しようとするものである。
【考案の効果】
【０００５】  本考案の独楽は、独楽本体上部に外周面の径より縮径した段差部分を構成することによって、独楽の回しやすさを維持すると共に、段差部分上面を平面とし、印面として利用できるようにすることによって、文字、および模様部分を彫刻する所謂白文、文字、および模様部分以外を彫刻する所謂朱文のいずれも彫刻可能なものとしている。【０００６】  本考案の独楽は、独楽としての機能を損なわずに遊びを楽しむことができることに加えて、印章としても楽しむことができるものである。たとえ独楽を回すことによって印面の一部が欠落、または変形したとしても、直ちに印章としての機能が低下するものではなく、それがむしろ篆刻技法の一つである撃辺としての効果を持ち、変化する印章の趣を楽しむことができる。【０００７】  また、印面に対して任意の文字、模様等を彫刻できることに鑑みて、同一の独楽が存在することは極めて稀であることから、仮に所有者が児童であったとしても、自身の所有物と他者の所有物との混同を回避することができること、遊びながらにして文字、および文字文化に親しむことができること、所有者自ら印面への布字、彫刻を行う選択肢を残すことによって印章作成の楽しみを味わい得ること、文字教育、文化伝承の教材として利用し得ること、篆刻の印材として利用し得ること等の効果をも有するものである。【０００８】  本考案の構成を図１から図４を用いて説明する。符号１は回転軸を示す。独楽本体２の上部に、外周面を任意に縮径した段差部分３を構成する。段差部分３の上部を平面にすることで印面４とすると共に、印面４に印字５を彫刻することで印章としての機能を持たせるものである。【０００９】  図において、独楽の形は楕円形の上部を地面と水平方向に切断した形であり、また彫刻部分の文字は篆書体で、かつ文字部分、外周に沿った円形の模様部分を刻す所謂白文を例示しているが、独楽の大きさ、形、および彫刻部分の文字、書体、模様、彫刻の方法は限定するものではなく、好みに応じて自由に構成することが可能である。
【図面の簡単な説明】
【００１０】
【図１】本実施の形態による独楽の一例を示す正面図
【図２】本実施の形態による独楽の一例を示す平面図
【図３】本実施の形態による独楽の一例を示す底面図
【図４】本実施の形態による独楽の一例を示す斜視図
【符号の説明】
【００１１】１  回転軸２  独楽本体３  独楽本体から任意に縮径した段差部分４  印面５  印字
【図１】
0003230497.tif 000003
【図２】
0003230497.tif 000004
【図３】
0003230497.tif 000005
【図４】
0003230497.tif 000006